(57)【要約】【課題】胴台の着せ換えを簡単に実行することができる武道用胴防具を提供すること。【解決手段】胴胸１２及び胴台１１を備える武道用胴防具１０において、胴台１１が透明あるいは半透明な外胴２０と、この外胴２０の内側に着脱自在に配置された内胴２１とを備える。【選択図】図４
2008279027.tif 000002
【特許請求の範囲】
【請求項１】
胴胸及び胴台を備える武道用胴防具において、
前記胴台が透明あるいは半透明な外胴と、この外胴の内側に着脱自在に配置された内胴とを備えることを特徴とする武道用胴防具。
【請求項２】
前記胴胸は前記外胴に取り付けられ、この外胴に前記内胴を取り付ける取付具を備えることを特徴とする請求項１に記載の武道用胴防具。
【請求項３】
前記内胴には、前記外胴に対向する面に装飾が施されていることを特徴とする請求項１又は２に記載の武道用胴防具。
【請求項４】
前記内胴は、前記外胴と略同形状に形成されていることを特徴とする請求項１乃至３のいずれかに記載の武道用胴防具。
【請求項５】
前記取付具は、前記外胴の上縁部及び下縁部にそれぞれ設けられた一対の保持部材であり、この保持部材と前記外胴との間に前記内胴を介装したことを特徴とする請求項２乃至４のいずれかに記載の武道用胴防具。
【発明の詳細な説明】
【技術分野】
【０００１】
本発明は、剣道又はなぎなたに用いられる武道用胴防具に関する。
【背景技術】
【０００２】
一般に、胴胸及び胴台を備えて構成され、剣道又はなぎなたの試合や稽古を行う際に装着し、競技者の胸部と腹部を保護する武道用胴防具が知られている（例えば、特許文献１参照）。この種の武道用胴防具は、身体の中央に配置されるものであり、自然と視線を集める部分である。このため、従来、胴台に様々な彩色や模様等の装飾を施したものが提供されている。
【特許文献１】特開２０００−３２５５２６号公報
【発明の開示】
【発明が解決しようとする課題】
【０００３】
ところで、近年、胴台の装飾を簡単に変更したいといった要望がある。しかしながら、従来のものでは、胴台は胴胸に縫いつけられており、この胴台の装飾を変更するためには、胴胸から胴台を外し、別の装飾が施された胴台に交換することを要し、胴台の着せ替えを実行することは困難であった。
本発明の目的は、上述の事情を考慮してなされたものであり、胴台の着せ換えを簡単に実行することができる武道用胴防具を提供することを目的とする。
【課題を解決するための手段】
【０００４】
上記課題を解決するため、本発明は、胴胸及び胴台を備える武道用胴防具において、前記胴台が透明あるいは半透明な外胴と、この外胴の内側に着脱自在に配置された内胴とを備えることを特徴とする。
この構成によれば、着脱自在な内胴を交換することによって、胴台の着せ換えを簡単に実行することができる。これによれば、例えば、内胴を試合用と練習用とで交換したり、季節に応じて交換することにより、胴台の装飾を様々なバリエーションで楽しむことができる。
【０００５】
また、この場合において、前記胴胸は前記外胴に取り付けられ、この外胴に前記内胴を取り付ける取付具を備える構成としても良い。また、前記内胴には、前記外胴に対向する面に装飾が施されている構成としても良い。
【０００６】
また、前記内胴は、前記外胴と略同形状に形成されている構成としても良い。また、前記取付具は、前記外胴の上縁部及び下縁部にそれぞれ設けられた一対の保持部材であり、この保持部材と前記外胴との間に前記内胴を介装した構成としても良い。
【発明の効果】
【０００７】
本発明によれば、着脱自在な内胴を交換することによって、胴台の着せ換えを簡単に実行することができる。これによれば、例えば、内胴を試合用と練習用とで交換したり、季節に応じて交換することにより、胴台の装飾を様々なバリエーションで楽しむことができる。
【発明を実施するための最良の形態】
【０００８】
本発明の一実施形態を図面に基づき説明する。
図１は、本実施形態にかかる武道用胴防具（以下、胴防具という）１０の構成を示す外観斜視図である。胴防具１０は、剣道やなぎなたを行う際に使用するものであり、競技者の腹部の前面側に位置し、当該腹部を保護する胴台１１と、この胴台１１の上部に取り付けられ、競技者の胸部を覆って保護する胴胸１２とを備えて構成されている。この胴胸１２は、毛布・フェルト・綿等の芯材を表革及び裏革で覆った構造を有し、表革の表面には、例えば、雲型や曙光等の伝統的な文様の刺繍が施されている。
【０００９】
胴胸１２の上縁部には左右一対の胸乳革１３が設けられている。この胸乳革１３には、胴ひも（不図示）が結びつけられ、競技者はこの胴ひもを首にかけることにより、胴防具１０を装着する。また、胴胸１２の下縁部には、この胴胸１２を胴台１１に固定するためのとじ革１４が形成されている。このとじ革１４は、上記した表革及び裏革に連なる前後一対の留め付け部であり、このとじ革１４で胴台１１の上縁部を挟みこみ、これら胴台１１及びとじ革１４を革紐１５により堅固に縫い付けて固定している。
また、胴台１１の下縁部及び側縁部には、これら下縁部及び側縁部を保護するためのへり革１６が取り付けられ、このへり革１６及び胴台１１は革紐１７により縫い付けられている。また、胴台１１の側部には、それぞれ上下一対の胴乳革１８が設けられている。この胴乳革１８には、胴ひも（不図示）が結びつけられ、この胴ひもを競技者は背中側で結ぶことにより、装着した胴防具１０が固定される。
【００１０】
次に、胴台１１について説明する。
胴台１１は、図２に示すように、外胴２０と、この外胴２０の内側に着脱自在に配置される内胴２１とを備えて構成されている。本実施形態では、外胴２０が胴台１１としての主な機能を有し、この外胴２０に胴胸１２が取り付けられるとともに、この外胴２０の下縁部及び側縁部にへり革１６が取り付けられている。この外胴２０は、一般的な胴台と同様に、腹部の前面及び側面（脇腹部分）を保護するように曲面状に形成され、当該外胴２０の周縁部２０Ａには、上記とじ革１４及びへり革１６を取り付けるための貫通孔２２が所定間隔で形成されている。また、外胴２０の側部には、それぞれ上下一対の貫通孔２３が形成されている。これら貫通孔２３は、外胴２０に内胴２１を固定する際に用いられる。
【００１１】
また、外胴２０は、この外胴２０の外部から当該外胴２０の内側に配置された内胴２１を視認可能なように透明の材料で形成されている。ここで、透明とは、物体が光をよく通し、その物体を通して向こうが見えることをいい、無色透明だけでなく有色透明（例えば、オレンジ色等）をも含む。また、外胴２０は、透光性が高く、光を吸収または散乱しにくいものが望ましいが、外胴２０の外部から内胴２１を視認できるのであれば、透光性が低い半透明の材料を用いても良い。
また、外胴２０は、胴台１１として競技者の腹部を保護する機能を備えることが要求される。このため、外胴２０の材料には、数々の試験を重ねた上で、胴防具１０への打撃に耐えうる耐衝撃用プレート（例えば、タキロン社製タフプレート等）が採用されている。この耐衝撃用プレートは、当該耐衝撃用プレートを外胴２０の形状に形成し、これを自動車で踏みつけても割れない程度の耐衝撃性及び耐荷重性を備えるものである。このような耐衝撃用プレートを外胴２０に採用することにより、透明かつ耐衝撃性を備える外胴２０（胴台１１）を実現することが可能となった。
【００１２】
一方、外胴２０の内側に配置される内胴２１は、外胴２０に密着するように当該外胴２０と略同形状に形成されている。また、内胴２１は、この内胴２１を外胴２０の内側に配置した際に、当該内胴２１が外胴２０の周縁部２０Ａに設けられるとじ革１４及びへり革１６に当接しないように、この周縁部２０Ａよりも僅かに小型に形成されている。
また、内胴２１の側部には、それぞれ上下一対の貫通孔２４が形成されている。この貫通孔２４は、内胴２１を外胴２０の内側に配置した場合に、この外胴２０の貫通孔２３に対応する位置に形成されている。
本実施形態では、内胴２１は、外胴２０と同一の材料で形成され、これら外胴２０及び内胴２１が協働して胴台１１を構成している。しかしながら、内胴２１は、外胴２０の内部に配置されるため、必ずしも耐衝撃性を備えることを要しない。このため、後述するように、内胴２１の前面２１Ａに装飾を施せるのであれば、成型の容易な材料（例えば、樹脂材、ゴム材、又は、発泡樹脂材等）で作成しても良い。
【００１３】
内胴２１には、外胴２０に対向する面、すなわち、内胴２１の前面２１Ａ側に装飾が施されている。このような装飾には、内胴２１の前面２１Ａを、例えば、黒（呂色）、濃茶色（溜色）等に着色するもののほか、この前面２１Ａに模様（例えば、唐草模様等）や、学校の先生等から贈られた言葉等を記すことが含まれ、これらを適宜組み合わせても良い。この場合、模様や言葉等を内胴２１の前面２１Ａに直接記しても良いが、上記模様に染められた布材（例えば手拭い）や、上記言葉を記したシール材等を内胴２１の前面２１Ａに貼付すれば、上記装飾を簡単に施すことができる。
【００１４】
このように、本実施形態では、透明材料で形成された外胴２０の内側に、装飾が施された内胴２１を配置することにより、外胴２０を通じて内胴２１の前面２１Ａの装飾を視認することができる。この場合、内胴２１の装飾（例えば、前面２１Ａ貼付されたシール材）は、外胴２０によって保護されることにより、このシール材が竹刀で打たれることがなく、当該シール材が破けることが防止される。
さらに、本実施形態では、内胴２１は、外胴２０に着脱自在に配置されるため、この内胴２１を交換することによって、胴防具１０における胴台１１の着せ換えを簡単に実行することができる。これによれば、例えば、内胴２１を試合用と練習用とで交換したり、季節に応じて交換することにより、胴台１１の模様を様々なバリエーションで、かつ、安価に楽しむことができ、ひいては、剣道やなぎなたのイメージアップを図ることができる。
【００１５】
次に、内胴２１を外胴２０に着脱自在に取り付ける構成について説明する。
図３は、胴防具１０を背面側から見た図であり、図４は、図３における胴防具１０のＩＶ−ＩＶ断面図である。胴防具１０は、図３及び図４に示すように、外胴２０の上縁部及び下縁部の内側に配置された上下一対の保持部材２７、２８（取付具）を備える。これら保持部材２７、２８は、それぞれ外胴２０の上縁部及び下縁部に沿って形成された革材もしくは布材であり、当該保持部材２７、２８と外胴２０との間に内胴２１を介装することによって、この内胴２１を外胴２０の内側に着脱自在に取り付け可能となっている。
上側の保持部材２７は、図４に示すように、この保持部材２７の上部２７Ａが外胴２０ととじ革１４との間に挿入され、これら外胴２０及びとじ革１４とともに革紐１５で縫いつけられている。下側の保持部材２８は、この保持部材２８の下部２８Ａが外胴２０とへり革１６との間に挿入され、これら外胴２０及びへり革１６とともに革紐１７で縫いつけられている。
上側の保持部材２７の下部２７Ｂ及び下側の保持部材２８の上部２８Ｂは、外胴２０に対して固定されていない。このため、これら保持部材２７の下部２７Ｂ及び保持部材２８の上部２８Ｂの間に内胴２１を介装することによって、この内胴２１を外胴２０の内側に着脱自在に取り付けることができる。
【００１６】
外胴２０に内胴２１を取り付ける場合、外胴２０と上側の保持部材２７の下部２７Ｂとの間に、内胴２１の上縁部分を挿し込んでこの上縁部分を保持する。次に、下側の保持部材２８の上部２８Ｂを背面側に開いて、内胴２１を外胴２０に当接させて配置した後に、当該下側の保持部材２８の上部２８Ｂを元の位置に戻すことにより、下側の保持部材２８で内胴２１の下縁部を保持する。
一方、内胴２１を取り外す場合には、下側の保持部材２８の上部２８Ｂを背面側に開くだけで簡単に内胴２１を取り外すことができる。これによれば、内胴２１を外胴２０の内側に簡単に着脱自在に取り付けることができる。また、内胴２１は、上下の保持部材２７、２８により、外胴２０に密着した状態で保持されるため、内胴２１の前面２１Ａに施された模様は透明な外胴２０を通じて視認される。
さらに、本実施形態では、外胴２０と内胴２１とは、これら外胴２０及び内胴２１の側部に設けられた貫通孔２３、２４を用いて胴ひもで固定される。これにより、試合や稽古中に激しく動いたとしても、内胴２１が外胴２０の内側でずれたり、この内胴２１が外れたりすることが防止される。
【００１７】
本実施形態によれば、胴胸１２及び胴台１１を備える胴防具１０において、胴台１１が透明な外胴２０と、この外胴２０の内側に着脱自在に配置された内胴２１とを備えるため、この内胴２１を交換することによって、胴防具１０における胴台１１の着せ換えを簡単に実行することができる。これによれば、例えば、内胴２１を試合用と練習用とで交換したり、季節に応じて交換することにより、胴台１１の装飾を様々なバリエーションで楽しむことができる。
【００１８】
また、本実施形態によれば、胴胸１２は外胴２０に取り付けられ、この外胴２０に内胴２１を取り付ける構成となっているため、内胴２１のみを簡単に交換することができ、胴台１１の装飾の変更を安価に楽しむことができる。
【００１９】
また、本実施形態によれば、内胴２１は、外胴２０と略同形状に形成されているため、この外胴２０に内胴２１を密着させて配置することができる。これによれば、外胴２０と内胴２１との間に隙間が生じることがなく、内胴２１の前面２１Ａに施された装飾を鮮明に表現することができる。
【００２０】
また、本実施形態によれば、外胴２０の上縁部及び下縁部にそれぞれ設けられた一対の保持部材２７、２８を備え、この保持部材２７、２８と外胴２０との間に内胴２１を介装したため、内胴２１の着脱を容易に実施することができる。
【００２１】
次に、内胴２１を外胴２０に着脱自在に取り付ける別の実施形態について説明する。図５は、胴防具１０を背面側から見た図であり、図６、図５における胴防具１０のＶＩ−ＶＩ断面図である。この実施形態では、外胴２０に内胴２１を取り付ける取付具の構成が異なる。このため、この取付具以外の構成については、上記実施形態と同一の符号を付して説明を省略する。
この別の実施形態では、図５に示すように、胴胸１２は、とじ革１４の一部を下方に延出させた複数（本実施形態では７つ）の舌片部１４Ａを備えている。また、同様にへり革１６は、このへり革１６の一部を上方に延出させた複数（７つ）の舌片部１６Ａを備えている。
【００２２】
これら舌片部１４Ａ、１６Ａには、面ファスナのフック面３１、３２が形成されるとともに、これら舌片部１４Ａ、１６Ａに対向する内胴２１の上縁部及び下縁部には、面ファスナのフック面３１、３２に係止する面ファスナのループ面３３、３４が形成されている。この構成では、舌片部１４Ａ、１６Ａ及び内胴２１の上縁部及び下縁部に形成された面ファスナが取付具を構成する。なお、舌片部１４Ａ、１６Ａに、面ファスナのループ面を設け、内胴２１の上縁部及び下縁部に面ファスナのフック面を設けても良いことは言うまでもない。
この構成によれば、外胴２０の内側に内胴２１を配置し、この内胴２１の面ファスナのループ面３３、３４に舌片部１４Ａ、１６Ａの面ファスナのフック面３１、３２を係止することにより、当該内胴２１を簡単に外胴２０の取り付けることができる。この場合、面ファスナによって、内胴２１は舌片部１４Ａ、１６Ａに固定されるため、内胴２１が外胴２０の内側でずれたり、この内胴２１が外れたりすることが防止される。
【００２３】
また、この別の実施形態では、舌片部１４Ａ、１６Ａと内胴２１とを面ファスナで固定する構成について説明したが、これに限るものではなく、ホックを用いて取り付ける構成としても良い。この場合、例えば、舌片部１４Ａ、１６Ａにホックの雄側部材が取り付けられ、内胴２１の上縁部及び下縁部のうち、上記舌片部１４Ａ、１６Ａに対応する位置にホックの雌側部材が取り付けられる。この構成によれば、ホックを介して、内胴２１を舌片部１４Ａ、１６Ａに固定する際に、この内胴２１の位置決めが同時になされるため、内胴２１の取り付けをより簡単に実施することができる。
【００２４】
以上、一実施形態に基づいて、本発明を説明したが、本発明は、これに限定されるものではない。例えば、上記実施形態では、外胴２０の上縁部及び下縁部に上下一対の保持部材２７、２８を設け、これら保持部材２７、２８と外胴２０との間に内胴２１を介装して保持する構成としたが、これに加えて、保持部材２７、２８にそれぞれ面ファスナのフック面を形成するとともに、この保持部材２７、２８で保持される内胴２１の上縁部及び下縁部に面ファスナのループ面を形成する構成を備えても良い。
この構成によれば、内胴２１は面ファスナを介して保持部材２７、２８に保持されるため、この内胴２１を外胴２０に胴ひもで固定しなくても、内胴２１が外胴２０の内側でずれたり、この内胴２１が外れたりすることが防止される。従って、内胴２１の着脱作業をより簡単に実施することができる。なお、この場合、面ファスナの代わりにホックを用いても良いことは言うまでもない。
【００２５】
また、内胴２１の前面２１Ａにホックの雄側部材を設けるとともに、外胴２０の背面にホックの雌側部材を設け、これらホックを介して内胴２１を直接外胴２０に固定する構成としても良い。この構成によれば、保持部材２７、２８及び舌片部１４Ａ、１６Ａを設ける必要はなく、簡素な構成で内胴２１を外胴２０に取り付けることが可能となる。
また、この構成では、ホックの厚み分だけ、外胴２０と内胴２１との間には隙間が生じる。このため、この隙間を利用して、外胴２０と内胴２１との間に装飾用部材を挟み込むことにより、利用者の嗜好に合わせた斬新な装飾を施すことができる。
また、上記実施形態では、外胴２０は全面が透明とする構成としていたが、外胴２０の一部に透明な窓部を設け、この窓部から内胴２１に施した装飾が臨むようにしても良い。
【図面の簡単な説明】
【００２６】
【図１】本実施形態にかかる武道用胴防具の構成を示す外観斜視図である。
【図２】外胴と内胴とを示す外観斜視図である。
【図３】胴防具を背面側から見た図である。
【図４】図３における胴防具のＩＶ−ＩＶ断面図である。
【図５】別の実施形態にかかる胴防具を背面側から見た図である。
【図６】図５における胴防具のＶＩ−ＶＩ断面図である。
【符号の説明】
【００２７】
１０  胴防具
１１  胴台
１２  胴胸
１３  胸乳革
１４  とじ革
１４Ａ  舌片部
１５  革紐
１６  へり革
１７  革紐
１６Ａ  舌片部
１８  胴乳革
２０  外胴
２１  内胴
２１Ａ  前面
２２  貫通孔
２７  保持部材
２８  保持部材
３１  面ファスナのフック面
３２  面ファスナのフック面
３３  面ファスナのループ面
３４  面ファスナのフック面
【図１】
2008279027.tif 000003
【図２】
2008279027.tif 000004
【図３】
2008279027.tif 000005
【図４】
2008279027.tif 000006
【図５】
2008279027.tif 000007
【図６】
2008279027.tif 000008
【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
胴胸及び胴台を備える武道用胴防具において、
前記胴台が前記胴胸に取り付けられる透明あるいは半透明な外胴と、この外胴の内側に着脱自在に配置され、表面に装飾が施された内胴とを備え、この内胴を前記外胴に着脱自在に取り付ける取付具を備えることを特徴とする武道用胴防具。
【請求項２】
前記内胴は、前記外胴と略同形状に形成されていることを特徴とする請求項１に記載の武道用胴防具。
【請求項３】
前記取付具は、前記外胴の上縁部及び下縁部にそれぞれ設けられた一対の保持部材であり、この保持部材と前記外胴との間に前記内胴を介装したことを特徴とする請求項１または２に記載の武道用胴防具。
【手続補正２】
【補正対象書類名】明細書
【補正対象項目名】０００４
【補正方法】変更
【補正の内容】
【０００４】
上記課題を解決するため、本発明は、胴胸及び胴台を備える武道用胴防具において、前記胴台が前記胴胸に取り付けられる透明あるいは半透明な外胴と、この外胴の内側に着脱自在に配置され、表面に装飾が施された内胴とを備え、この内胴を前記外胴に着脱自在に取り付ける取付具を備えることを特徴とする。
この構成によれば、着脱自在な内胴を交換することによって、胴台の着せ換えを簡単に実行することができる。これによれば、例えば、内胴を試合用と練習用とで交換したり、季節に応じて交換することにより、胴台の装飾を様々なバリエーションで楽しむことができる。
【手続補正３】
【補正対象書類名】明細書
【補正対象項目名】０００５
【補正方法】削除
【補正の内容】